(57)【要約】【課題】特殊構成の吐出弁構造を採用することで、機能を減じることなく全体をコンパクトに形成することができ、特に丈を短く形成することができるトリガー式液体噴出器を提案する。【解決手段】  トリガーＦ操作により容器体９０内の液をシリンダ筒３０内に吸い上げて、ノズルＤ先端の噴出口より噴出するトリガー式液体噴出器であって、シリンダ筒３０内基端部を内外に区画する区画筒３２をシリンダ筒３０内中央部に突設し、縦流路ｐａを下部縦流路ｐａ１及び上部縦流路ｐａ２とに区画し、下部縦流路ｐａ１と区画筒３２内とを連通させるとともに、区画筒３２外方のシリンダ筒３０内と上部縦流路ｐａ２内とを連通させ、区画筒３２内に吐出弁Ｖ１を形成し、上部縦流路ｐａ２内に吸上げ弁Ｖ２を形成した。【選択図】図１
2014028345.tif 000002
【特許請求の範囲】
【請求項１】
装着キャップ（Ａ）により装着した容器体（９０）内とパイプ（５２）を介して連通する縦流路（ｐａ）と、縦流路（ｐａ）と連通して前方へ突設したシリンダ筒（３０）と、シリンダ筒（３０）上方位置に於いて縦流路（ｐａ）と連通して前方へ延設した射出流路（ｐｂ）とを備えた本体（Ｂ）と、
射出流路（ｐｂ）と内部を連通して本体（Ｂ）先端部に装着したノズル（Ｄ）と、
シリンダ筒（３０）内を摺動可能に嵌合したプランジャ（Ｅ）と、
本体（Ｂ）よりシリンダ筒（３０）前方に、前方付勢状態で前後揺動可能に垂設し、プランジャ（Ｅ）の先端に連係させてプランジャ（Ｅ）の前後動を操作するトリガー（Ｆ）と、
本体（Ｂ）の上面、両側面、後面を被覆して本体（Ｂ）に嵌着したカバー（Ｇ）とを備え、
トリガー（Ｆ）操作により容器体（９０）内の液をシリンダ筒（３０）内に吸い上げて、ノズル（Ｄ）先端の噴出口より噴出するトリガー式液体噴出器であって、
シリンダ筒（３０）内基端部を内外に区画する区画筒（３２）をシリンダ筒（３０）内中央部に突設し、縦流路（ｐａ）を下部縦流路（ｐａ１）及び上部縦流路（ｐａ２）とに区画し、下部縦流路（ｐａ１）と区画筒（３２）内とを連通させるとともに、区画筒（３２）外方のシリンダ筒（３０）内と上部縦流路（ｐａ２）内とを連通させ、区画筒（３２）内に吐出弁（Ｖ１）を形成し、上部縦流路（ｐａ２）内に吸上げ弁（Ｖ２）を形成した
ことを特徴とする液体噴出器。
【請求項２】
本体（Ｂ）を、本体部（Ｂ１）と、本体部（Ｂ１）に嵌着したシリンダ部材（Ｂ２）及びインテイク（Ｂ３）とで構成し、
本体部（Ｂ１）は、容器体口頸部９１に嵌合させる装着キャップ（Ａ）を周囲に回動可能に装着した、下端開口の有頂筒状をなす連結筒部（１５）を備え、連結筒部（１５）の頂部に下端を開口した有頂の縦筒（１７）を起立し、縦筒（１７）の上端部に基端を開口して前方へ延設した射出筒（１８）を備え、射出筒（１８）下方の縦筒（１７）より、前端開放で後端閉塞のシリンダ嵌合筒（１９）を突設し、シリンダ嵌合筒（１９）内中央に吐出弁座２０を突設してなり、
シリンダ部材（Ｂ２）は、シリンダ嵌合筒（１９）内に嵌合させたシリンダ筒（３０）の後端縁よりフランジ状の奥壁（３１）を延設するとともに、奥壁（３１）内周縁よりシリンダ筒（３０）内基端部を内外に区画する区画筒（３２）を突設し、区画筒（３２）より弾性部（３３）を介して一体に突設した吐出弁体（３４）を吐出弁座（２０）に圧接してなり、
インテイクＢ３は、縦筒（１７）内に嵌着するとともに、内部を上下に区画する隔壁（４６）を設けて、隔壁（４６）下方を下部縦流路（ｐａ１）に、隔壁（４６）上方を上部縦流路（ｐａ２）に画成してなり、
本体部（Ｂ１）に対するシリンダ部材（Ｂ２）及びインテイクＢ３の嵌着時に、下部縦流路（ｐａ１）内と吐出弁座（２０）内とを連通する流入路と、区画筒（３２）外周のシリンダ筒（３０）内と上部縦流路（ｐａ２）内とを連通する流出路が形成される
請求項１に記載のトリガー式液体噴出器。
【請求項３】
インテイク（Ｂ３）の筒壁（４５）に設けた下部透孔（４７）と、縦筒（１７）に設けた第１連通孔（２１）とを、インテイク（Ｂ３）の筒壁４５と縦筒（１７）との間に設けた環状の下部隙間（４９）を介して連通し、インテイク（Ｂ３）内と区画筒（３２）内を連通する上記流入路を形成し、インテイク（Ｂ３）の筒壁４５に設けた上部透孔（４８）と、縦筒（１７）に設けた第２連通孔（３６）とを、インテイク（Ｂ３）の筒壁（４５）と縦筒（１７）との間に設けた環状の上部隙間（５０）を介して連通し、区画筒（３２）外周のシリンダ筒（３０）内とインテイク（Ｂ３）内とを連通する上記流出路を形成した請求項２に記載のトリガー式液体噴出器。
【請求項４】
シリンダ部材（Ｂ２）の後面より突設した位置決め突部（３５）を、縦筒（１７）の所定位置に穿設した嵌合孔（２５）に嵌合して本体部（Ｂ１）に対してシリンダ部材（Ｂ２）を嵌着する如く構成した請求項２又は請求項３に記載のトリガー式液体噴出器。
【請求項５】
カバー（Ｇ）は、本体（Ｂ）の後部下方に一端を係合して後方へ延びる支持板部（８０）を備え、支持板部（８０）の上面に、本体（Ｂ）の後面を被覆する後壁部（８３）の下端部を一体に連結して構成した請求項１乃至請求項４のいずれか１項に記載のトリガー式液体噴出器。
【発明の詳細な説明】
【技術分野】
【０００１】
本発明はトリガー式液体噴出器に関する。
【背景技術】
【０００２】
トリガー操作により内臓ポンプ機構の作用で、装着した容器体内の液を汲み上げ、先端のノズルより液状、霧状等に噴出するトリガー式液体噴出が知られている。（例えば、特許文献１参照）。
【０００３】
上記トリガー式液体噴出器は、装着した容器体内とパイプを介して連通する縦流路と、縦流路の上部に連通して前方へ延設し、先端に嵌着したノズル内と連通する射出流路と、射出流路下方に於いて縦流路内と連通して前方へ突設したシリンダ筒と、を備えた本体を備え、シリンダ筒内を摺動するプランジャを操作するトリガーを、射出流路前部位置の本体より揺動可能に垂設している。
【０００４】
また、縦流路内とシリンダ筒内との連通路は一箇所設けられており、その連通路の上流位置の縦流路内に吐出弁を配置し、連通路の下流位置の縦流路内に吸上げ弁を配置している。また、吐出弁は縦流路内に突設した弁座上に玉状の吐出弁体を載置した構成となっており、吸上げ弁は縦流路上端より垂設された弾性板に支持された吸上げ弁板を、縦流路内の吸上げ弁座に圧接した形態を採っており、吸上げ弁板下方に吸上げ弁体の上下動を規制する棒状の弁抑えを一体に垂設している。
【先行技術文献】
【特許文献】
【０００５】
【特許文献１】特許第３７８１９０４号公報
【発明の概要】
【発明が解決しようとする課題】
【０００６】
本発明は、特殊構成の吐出弁構造を採用することで、全体をコンパクトに形成することができ、部品の挿入ミスもなく、特に丈を短く形成することができ、しかも、従来品と比較して機能的な低下が生じる虞もなく、円滑な液の汲み上げ、噴出が可能であるトリガー式液体噴出器を提案する。また、本体を複数の構成体で形成し、それらを組み付けることで簡単に形成でき、また、吐出弁もこれらの組み付け操作で自動的に形成できるトリガー式液体噴出器を提案する。更に、 本体を構成するシリンダ部材の嵌着を容易確実に行うことができるトリガー式液体噴出器を提案する。また、例えば、装着キャップを握っての操作時に、握った手の上面を当接係止して安定した噴出操作が可能であり、また、この様な利点を得るためにカバーの後部を本体より大きく後方に突設する必要もなく、カバーを構成する材料を極力減量することができるトリガー式液体噴出器を提案する。
【課題を解決するための手段】
【０００７】
第１の手段として、以下の通り構成した。即ち、装着キャップＡにより装着した容器体９０内とパイプ５２を介して連通する縦流路ｐａと、縦流路ｐａと連通して前方へ突設したシリンダ筒３０と、シリンダ筒３０上方位置に於いて縦流路ｐａと連通して前方へ延設した射出流路ｐｂとを備えた本体Ｂと、射出流路ｐｂと内部を連通して本体Ｂ先端部に装着したノズルＤと、シリンダ筒３０内を摺動可能に嵌合したプランジャＥと、本体Ｂよりシリンダ筒３０前方に、前方付勢状態で前後揺動可能に垂設し、プランジャＥの先端に連係させてプランジャＥの前後動を操作するトリガーＦと、本体Ｂの上面、両側面、後面を被覆して本体Ｂに嵌着したカバーＧとを備え、トリガーＦ操作により容器体９０内の液をシリンダ筒３０内に吸い上げて、ノズルＤ先端の噴出口より噴出するトリガー式液体噴出器であって、シリンダ筒３０内基端部を内外に区画する区画筒３２をシリンダ筒３０内中央部に突設し、縦流路ｐａを下部縦流路ｐａ１及び上部縦流路ｐａ２とに区画し、下部縦流路ｐａ１と区画筒３２内とを連通させるとともに、区画筒３２外方のシリンダ筒３０内と上部縦流路ｐａ２内とを連通させ、区画筒３２内に吐出弁Ｖ１を形成し、上部縦流路ｐａ２内に吸上げ弁Ｖ２を形成した。
【０００８】
第２の手段として、以下の通り構成した。即ち、前記第１の手段に於いて、本体Ｂを、本体部Ｂ１と、本体部Ｂ１に嵌着したシリンダ部材Ｂ２及びインテイクＢ３とで構成し、本体部Ｂ１は、容器体口頸部９１に嵌合させる装着キャップＡを周囲に回動可能に装着した、下端開口の有頂筒状をなす連結筒部１５を備え、連結筒部１５の頂部に下端を開口した有頂の縦筒１７を起立し、縦筒１７の上端部に基端を開口して前方へ延設した射出筒１８を備え、射出筒１８下方の縦筒１７より、前端開放で後端閉塞のシリンダ嵌合筒１９を突設し、シリンダ嵌合筒１９内中央に吐出弁座２０を突設してなり、シリンダ部材Ｂ２は、シリンダ嵌合筒１９内に嵌合させたシリンダ筒３０の後端縁よりフランジ状の奥壁３１を延設するとともに、奥壁３１内周縁よりシリンダ筒３０内基端部を内外に区画する区画筒３２を突設し、区画筒３２より弾性部３３を介して一体に突設した吐出弁体３４を吐出弁座２０に圧接してなり、インテイクＢ３は、縦筒１７内に嵌着するとともに、内部を上下に区画する隔壁４６を設けて、隔壁４６下方を下部縦流路ｐａ１に、隔壁４６上方を上部縦流路ｐａ２に画成してなり、本体部Ｂ１に対するシリンダ部材Ｂ２及びインテイクＢ３の嵌着時に、下部縦流路ｐａ１内と吐出弁座２０内とを連通する流入路と、区画筒３２外周のシリンダ筒３０内と上部縦流路ｐａ２内とを連通する流出路が形成される。
【０００９】
第３の手段として、以下の通り構成した。即ち、前記第２の手段に於いて、インテイクＢ３の筒壁４５に設けた下部透孔４７と、縦筒１７に設けた第１連通孔２１とを、インテイクＢ３の筒壁４５と縦筒１７との間に設けた環状の下部隙間４９を介して連通し、インテイクＢ３内と区画筒３２内を連通する上記流入路を形成し、インテイクＢ３の筒壁４５に設けた上部透孔４８と、縦筒１７に設けた第２連通孔３６とを、インテイクＢ３の筒壁４５と縦筒１７との間に設けた環状の上部隙間５０を介して連通し、区画筒３２外周のシリンダ筒３０内とインテイクＢ３内とを連通する上記流出路を形成した。
【００１０】
第４の手段として、以下の通り構成した。即ち、前記第２の手段又は第３の手段に於いて、シリンダ部材Ｂ２の後面より突設した位置決め突部３５を、縦筒１７の所定位置に穿設した嵌合孔２５に嵌合して本体部Ｂ１に対してシリンダ部材Ｂ２を嵌着する如く構成した。
【００１１】
第５の手段として、以下の通り構成した。即ち、前記第１の手段乃至第４の手段に於いて、カバー筒Ｇが本体Ｂの後部下方に一端を係合して後方へ延びる支持板部８０を備え、支持板部８０の上面に、本体Ｂの後面を被覆する後壁部８３の下端部を一体に連結して構成した。
【発明の効果】
【００１２】
本発明は、シリンダ筒３０内基端部を内外に区画する区画筒３２をシリンダ筒３０内中央部に突設し、縦流路ｐａを下部縦流路ｐａ１及び上部縦流路ｐａ２とに区画し、下部縦流路ｐａ１と区画筒３２内とを連通させるとともに、区画筒３２外方のシリンダ筒３０内と上部縦流路ｐａ２内とを連通させ、区画筒３２内に吐出弁Ｖ１を形成し、上部縦流路ｐａ２内に吸上げ弁Ｖ２を形成したので、従来縦流路内に存在した吐出弁Ｖ１をシリンダ筒３０内に収容しているため縦流路ｐａを短く形成することができ、その結果、全体をコンパクトに形成することができ、部品の挿入ミスもなく、特に全体の丈を短く形成することができる。しかも、従来品と比較して機能的な低下が生じる虞もなく、円滑な液の汲み上げ、噴出が可能である。
【００１３】
本体Ｂを、本体部Ｂ１と、本体部Ｂ１に嵌着したシリンダ部材Ｂ２及びインテイクＢ３とで構成し、本体部Ｂ１は、容器体口頸部９１に嵌合させる装着キャップＡを周囲に回動可能に装着した、下端開口の有頂筒状をなす連結筒部１５を備え、連結筒部１５の頂部に下端を開口した有頂の縦筒１７を起立し、縦筒１７の上端部に基端を開口して前方へ延設した射出筒１８を備え、射出筒１８下方の縦筒１７より、前端開放で後端閉塞のシリンダ嵌合筒１９を突設し、シリンダ嵌合筒１９内中央に吐出弁座２０を突設してなり、シリンダ部材Ｂ２は、シリンダ嵌合筒１９内に嵌合させたシリンダ筒３０の後端縁よりフランジ状の奥壁３１を延設するとともに、奥壁３１内周縁よりシリンダ筒３０内基端部を内外に区画する区画筒３２を突設し、区画筒３２より弾性部３３を介して一体に突設した吐出弁体３４を吐出弁座２０に圧接してなり、インテイクＢ３は、縦筒１７内に嵌着するとともに、内部を上下に区画する隔壁４６を設けて、隔壁４６下方を下部縦流路ｐａ１に、隔壁４６上方を上部縦流路ｐａ２に画成してなり、本体部Ｂ１に対するシリンダ部材Ｂ２及びインテイクＢ３の嵌着時に、下部縦流路ｐａ１内と吐出弁座２０内とを連通する流入路と、区画筒３２外周のシリンダ筒３０内と上部縦流路ｐａ２内とを連通する流出路が形成される如く構成した場合には、例えば、本体部Ｂ１に対してシリンダ部材Ｂ２を前方より嵌着し、インテイクＢ３を下方より嵌着するという簡単な手段で組み付けを行なえるという利点があり、また、吐出弁Ｖ１もこれらの組み付け操作で自動的に形成できるという利点がある。また、吐出弁体３４は弾性部３３を介して区画筒３２と一体に形成され、吐出弁座２０も本体部Ｂ１より一体に形成が可能であり、別体としての玉状吐出弁体を使用している従来品と比較して部材数を減少させることができるという利点もある。
【００１４】
インテイクＢ３の筒壁４５に設けた下部透孔４７と、縦筒１７に設けた第１連通孔２１とを、インテイクＢ３の筒壁４５と縦筒１７との間に設けた環状の下部隙間４９を介して連通し、インテイクＢ３内と区画筒３２内を連通する上記流入路を形成し、インテイクＢ３の筒壁４５に設けた上部透孔４８と、縦筒１７に設けた第２連通孔３６とを、インテイクＢ３の筒壁４５と縦筒１７との間に設けた環状の上部隙間５０を介して連通し、区画筒３２外周のシリンダ筒３０内とインテイクＢ３内とを連通する上記流出路を形成した場合には、各下部隙間４９、上部隙間５０の存在で、下部透孔４７及び上部透孔４８の穿設位置を出来るだけ近い位置に穿設調整でき、その結果、全体の丈を更に短くすることができるという特徴がある。
【００１５】
シリンダ部材Ｂ２の後面より突設した位置決め突部３５を、縦筒１７の所定位置に穿設した嵌合孔２５に嵌合して本体部Ｂ１に対してシリンダ部材Ｂ２を嵌着する如く構成した場合には、シリンダ部材Ｂ２の本体部Ｂ１に対する嵌合位置を容易確実に特定することができる利点があり、シリンダ部材Ｂ２の備える構成（例えば、第１実施例に於ける上部通気孔３９）が所定位置に位置する如くシリンダ部材Ｂ２のシリンダ嵌合筒１９に対する嵌着を容易確実に行うことができる。
【００１６】
カバー筒Ｇが本体Ｂの後部下方に一端を係合して後方へ延びる支持板部８０を備え、支持板部８０の上面に、本体Ｂの後面を被覆する後壁部８３の下端部を一体に連結して構成した場合には、例えば、装着キャップＡを握っての操作時に、握った手の上面を支持板部８０で係止して安定した噴出操作が可能であり、また、この様な利点を得るためにカバーＧの後部を本体Ｂより大きく後方に突設する必要もなく、カバーＧの後壁部８３を本体Ｂの後部近傍位置に垂設することができ、支持板部８０のみが必要幅突設していれば良く、上記利点を備える上でのカバーＧを構成する材料を極力減量することかできるという利点もある。
【図面の簡単な説明】
【００１７】
【図１】トリガー式液体噴出器の縦断面図である。（第１実施例）
【発明を実施するための形態】
【００１８】
以下、本発明の実施例の形態を図面を参照して説明する。
【００１９】
図１は本発明トリガー式液体噴出器の第１実施例を示し、図中１はトリガー式液体噴出器を示す。尚、説明の便宜上、図１の左方を前部、右方を後部、手前を右部、奥方を左部として説明する。
【００２０】
トリガー式液体噴出器１は、装着キャップＡと、本体Ｂと、連結部材Ｃと、ノズルＤと、プランジャＥと、トリガーＦと、カバーＧとを備えている。
【００２１】
装着キャップＡは、容器体９０の口頸部９１外周に螺着してトリガー式液体噴出器１を容器体９０に装着固定するもので、本体Ｂの下部に回動可能に連設されている。
【００２２】
本体Ｂは、装着した容器体９０内とパイプ５２を介して連通する縦流路ｐａと、縦流路ｐａと連通して前方へ突設したシリンダ筒３０と、シリンダ筒３０上方位置に於いて縦流路ｐａと連通して前方へ延設した射出流路ｐｂとを備えている。
【００２３】
第１実施例に於いて、本体Ｂは更に、本体部Ｂ１と、インテイクＢ３と、シリンダ部材Ｂ２とを組み付け構成している。
【００２４】
本体部Ｂ１は、上端を閉塞した下端開口の連結筒部１５を備え、連結筒部１５の頂板１６の後部偏心位置に基端を開口した有頂の縦筒１７を上方に起立し、また、縦筒１７の上端部に基端を開口した射出筒１８を前方へ延設している。また、連結筒部１５上の縦筒１７前面より、前面を開口し、後面を閉塞したシリンダ嵌合筒１９を突設しており、シリンダ嵌合筒１９の中央に、筒状の吐出弁座２０を突設している。吐出弁座２０内中央に穿設した第１連通孔２１を介して縦筒１７内と吐出弁座２０内とを連通している。また、連結筒部１５の外周下部より突設したフランジ２２上面に、装着キャップＡ上端のフランジ状頂壁１０を当接させて、本体部Ｂ１（本体Ｂ）に対して装着キャップＡを回動可能に装着している。
【００２５】
シリンダ部材Ｂ２は、シリンダ嵌合筒１９内に嵌合させた外周のシリンダ筒３０の後端縁よりフランジ状の奥壁３１を延設し、奥壁３１の内周縁より前方へ、シリンダ筒３０内基端部を内外に区画する区画筒３２を突設している。また、区画筒３２内前部より後方へ螺旋状の弾性部３３を一体に延設し、弾性部３３の先端に一体に連設した半球状の吐出弁体３４を、吐出弁座２０先端部に圧接閉塞して吐出弁Ｖ１を形成している。また、奥壁３１上部後面より突設した位置決め突部３５を縦筒１７の嵌合孔２５に嵌合させ、位置決め突部３５内を、縦筒１７内と区画筒３２外方のシリンダ筒３０内とを連通する第２連通孔３６としている。また、シリンダ嵌合筒１９とシリンダ筒３０との間には環状の隙間３７を設けており、この環状の隙間３７を介して、連結筒部１５の頂部に穿設した下部通気孔３８と、シリンダ筒３０上部に穿設した上部通気孔３９とを連通し、プランジャＥを押し込んだ際に外部と容器体９０内が連通し、負圧化した容器体９０内に外気が導入される如く構成している。
【００２６】
インテイクＢ３は、上端を縦筒１７内上部に、下端を連結筒部１５内下端部に位置させて縦筒１７内に嵌着した筒状をなし、筒壁４５の上部所定位置に上下を区画する隔壁４６を横設しており、筒壁４５内に画成した縦流路ｐａを、隔壁４６下方の下部縦流路ｐａ１と、隔壁４６上方の上部縦流路ｐａ２として画成している。また、隔壁４６の直下に周方向複数の下部透孔４７を穿設し、また、隔壁４６の直上に、周方向複数の上部透孔４８を穿設している。また、下部透孔４７の周囲の筒壁４５と縦筒１７との間に環状の下部隙間４９を、上部透孔４８周囲の筒壁４５と縦筒１７との間に環状の上部隙間５０を形成している。そして、下部縦流路ｐａ１内から、下部透孔４７、下部隙間４９、第１連通孔２１を介して吐出弁座２０内に連通する流入路を形成し、シリンダ筒３０内から第２連通孔３６、上部隙間５０、上部透孔４８を介して上部縦流路ｐａ２内に連通する流出路を形成している。従って、下部縦流路ｐａ１内から流入路を介してシリンダ筒３０内へ連通し、シリンダ筒３０内から流出路を介して上部縦流路ｐａ２内へ連通する如く構成している。また、上部縦流路ｐａ２は、射出筒１８内に画成された射出流路ｐｂへと連通している。また、下部透孔４７下方には周方向複数の係止リブ５１を突設し、該係止リブ５１に上端を係止してその下方の筒壁４５内に上端を嵌着したパイプ５２を、容器体９０内下部に垂下している。
【００２７】
また、インテイクＢ３内の上部透孔４８直上位置に吸上げ弁Ｖ２を設けている。吸上げ弁Ｖ２は、インテイク筒壁４５内の上部透孔４８上方位置に形成した上向き段部形態の吸上げ弁座５３と、吸上げ弁部材５４とで構成しており、吸上げ弁部材５４は、インテイク筒壁４５内上端部に嵌着し、周囲に液の流通が可能な透孔を備えた装着基部５４ａと、装着基部５４ａの下方に連設した、正面視８の字形状の弾性板５４ｂと、弾性板５４ｂの下端に連設された、周縁部を吸上げ弁座５３上に圧接した吸上げ弁体５４ｃとで構成し、常時閉弁状態に維持されている。吸上げ弁体５４ｃの装着基部５４ａは、縦筒１７内上端に突設した係止リブ２３により当接係止されている。
【００２８】
連結部材Ｃは、射出筒１８の先端外周に装着筒部６０を嵌合させて射出筒１８の先端に嵌着しており、連結部材Ｃを介して射出筒１８の先端にノズルＤを連結している。装着筒部６０先端に射出筒１８先端面を被覆する基板６１を備え、基板６１に設けた透孔６３を介して射出流路ｐｂ内とノズルＤ先端の噴出口とを連通している。また、装着筒部６０の前部両側からはバネ板６４を一体に垂設しており、バネ板６４垂設部分後方の両側にトリガーＦの両側板上端部をそれそれ枢着している。
【００２９】
プランジャＥは、シリンダ筒３０内周に摺動可能に嵌合させた摺動部７０を、シリンダ筒３０と区画筒３２との間を前後動可能な周壁部７１の後端部より突設し、周壁部７１の先端を柱状頭部７２で閉塞して構成しており、摺動部７０が上部通気孔３９を閉塞する位置から後方への押し込みが可能に装着されている。
【００３０】
トリガーＦは射出筒１８の前部位置の連結部材Ｃに上端部を回動可能に枢着して、前後揺動可能に装着されており、また、連結部材Ｃの左右より一体に垂設された一対のバネ板６４の下端部を、トリガーＦの両側面上部にそれそれ連係させて常時前方へ付勢された状態で枢着されている。また、プランジャＥの先端部をトリガーＦの上部に連係させて、トリガーＦの引き込みによりプランジャＥの押し込みが可能に、押し込んだ状態からバネ板６４の弾性復元力で元の状態に復元するトリガーにより、プランジャＥを元の状態に引き戻すよう構成されている。
【００３１】
カバーＧは、本体Ｂの上面、両側面、後面を被覆して本体Ｂに嵌着したもので、本体Ｂの後部下端部に一端を係合して後方へ延びる支持板部８０を備えている。第１実施例では、本体Ｂの上面を被覆する頂壁部８１の両側より、本体Ｂの両側面を被覆する一体の側壁部８２を垂設し、頂壁部８１の後端縁及び両側壁部８２の後端縁を連結する後壁８３を延設し、支持板部８０の上面に後壁部８３下端部を一体に連結して構成している。また、本体部Ｂ１の後部下部より突設した取付板２４の下面に突設した突起２６に支持板部８０の先端上面に突設した突起８４を係合している。
【００３２】
上記の如く構成したトリガー式液体噴出器１は、図１の状態からトリガーＦを後方へ引くことで、プランジャＥを押し込み、シリンダ筒３０内の液が上記した流出路から上部縦流路ｐａ２内に圧入され、吸上げ弁Ｖ２を開いて射出流路ｐｂよりノズルＤ内を介してノズルＤの噴出口より噴出される。
【００３３】
次いでトリガーＦの引き込みをやめるとバネ板６４の弾性復元力によりトリガーＦが元の状態に戻されるとともに、プランジャＥが引き出され、負圧化したシリンダ筒３０内に吐出弁Ｖ１を開いて容器体９０内の液が導入される。
【符号の説明】
【００３４】
１：トリガー式液体噴出器
Ａ：装着キャップ
１０…フランジ状頂壁
Ｂ：本体
Ｂ１：本体部
１５…連結筒部、１６…頂板、１７…縦筒、１８…射出筒、１９…シリンダ嵌合筒、    ２０…吐出弁座、２１…第１連通孔、２２…フランジ、２３…係止リブ、
２４…取付板、２５…嵌合孔、２６…突起
Ｂ２：シリンダ部材
３０…シリンダ筒、３１…奥壁、３２…区画筒、３３…弾性部、３４…吐出弁体、
３５…位置決め突部、３６…第２連通孔、３７…環状の隙間、３８…下部通気孔、
３９…上部通気孔
Ｂ３：インテイク
４５…筒壁、４６…隔壁、４７…下部透孔、４８…上部透孔、４９…下部隙間、
５０…上部隙間、５１…係止リブ、５２…パイプ、５３…吸上げ弁座、５４…吸上げ弁部材、５４ａ…装着基部、５４ｂ…弾性板、５４ｃ…吸上げ弁体
Ｃ：連結部材
６０装着筒部、６１…基板、６３…透孔、６４…バネ板
Ｄ：ノズル
Ｅ：プランジャ
７０…摺動部、７１…周壁部、７２…柱状頭部
Ｆトリガー
Ｇ：カバー
８０…支持板部、８１…頂壁部、８２…側壁部、８３…後壁部、８４…突起
ｐａ：縦流路
ｐａ１：下部縦流路
ｐａ２：上部縦流路
ｐｂ：射出流路
Ｖ１：吐出弁
Ｖ２：吸上げ弁
９０：容器体
９１…口頸部
【図１】
2014028345.tif 000003